(57)【要約】      （修正有）【課題】光書込み装置本体を固定する２つの固定部の間の距離を変更しない場合に比べて、光書込み装置本体の振動を抑制することができる光書込み装置及び画像形成装置を提供する。【解決手段】画像形成装置が有する光書込み装置は、プリンタヘッド２０２と、プリンタヘッド２０２を固定するビス部材４１２及びビス部材３１２とを有し、プリンタヘッド２０２は、ＬＥＤ回路基板と、ロッドレンズアレイ２１０と、ＬＥＤ回路基板及びロッドレンズアレイ２１０が装着されているハウジング２０４とを有し、ビス部材３１２は、ハウジング２０４の長手方向に沿ってハウジング２０４に形成された長孔２０４ｂに装着されていて、長孔２０４ｂに沿って移動可能である。【選択図】図４
2016175295.tif 000002
【特許請求の範囲】
【請求項１】
光書込み装置本体と、
前記光書込み装置本体を固定する２つの固定部と、
を有し、
前記光書込み装置本体は、
光を発する発光部が長手方向に多数設けられた基板と、
前記基板からの光を収束させる収束部材と、
前記基板及び前記収束部材が装着されている装着部と、
を有し、
前記２つの固定部の少なくとも１つは、前記光書込み装置本体を固定する固定部材であて、前記装着部の長手方向に沿って前記装着部に形成された長孔に装着されていて、前記長孔に沿って移動可能な前記固定部材を有する光書込み装置。
【請求項２】
前記固定部材が前記光書込み装置本体を押圧する押圧力を変更する押圧力変更手段をさらに有する請求項１記載の画像形成装置。
【請求項３】
前記固定部材は、前記装着部の長手方向と交わる方向の面に接触するカム部を有し、前記カム部操作することにより前記固定部材が移動する請求項１又は２記載の画像形成装置。
【請求項４】
前記光書込み装置本体の減衰を促進させる減衰促進部材をさらに有する請求項１乃至３いずれか記載の画像形成装置。
【請求項５】
像を保持する像保持体と、
前記像保持体に光により潜像を書き込むための光書込み装置本体と、
前記光書込み装置本体を固定する２つの固定部と、
を有し、
前記光書込み装置本体は、
光を発する発光部が長手方向に多数設けられた基板と、
前記基板からの光を収束させる収束部材と、
前記基板及び前記収束部材が装着されている装着部と、
を有し、
前記２つの固定部の少なくとも１つは、前記光書込み装置本体を固定する固定部材であて、前記装着部の長手方向に沿って前記装着部に形成された長孔に装着されていて、前記長孔に沿って移動可能な前記固定部材を有する画像形成装置。
【発明の詳細な説明】
【技術分野】
【０００１】
本発明は、光書込み装置及び画像形成装置に関する。
【背景技術】
【０００２】
特許文献１には、軸方向両端部の非画像領域に位置決め用ベース部材を有する回転自在に形成された静電潜像担持体と、該静電潜像担持体と対向して、その長手方向が前記軸方向と略平行に延在するように配設され、静電潜像担持体上に光を照射して静電潜像を形成するとともに、前記位置決め用ベース部材のそれぞれと当接する当接部材を有する略箱体状に形成された書き込みヘッドと、該書き込みヘッドと対向し、この書き込みヘッドを弾性部材を介して支持するとともに、該書き込みヘッドに対して移動可能に形成された可動支持部材と、前記書き込みヘッドと前記可動支持部材とで形成される構造体の固有振動数を変更することにより、外乱による加振周波数との共振を回避して前記書き込みヘッドの振動を抑制する振動抑制手段とを備えることを特徴とする画像形成装置が記載されている。
【０００３】
特許文献２には、第１の方向に沿って配列された複数の発光部を有する光源と、前記光源から前記第１の方向に直交する第２の方向に射出された複数の光束をそれぞれ集光する光学系と、前記光学系を保持する天板と、前記第１の方向及び前記第２の方向のいずれにも直交する第３の方向に関して前記光源を挟んで対向し、前記第２の方向の一側端部近傍が前記天板に固定されている２つの側板とを有するハウジングと、前記２つの側板における前記第２の方向の他側端部の一部を架設する少なくとも１つの架設部材と、を備えるプリンタヘッドが記載されている。
【先行技術文献】
【特許文献】
【０００４】
【特許文献１】特開２００６−１９５１２９号公報
【特許文献２】特開２０１２−２５４５３９号公報
【発明の概要】
【発明が解決しようとする課題】
【０００５】
本発明は、光書込み装置本体を固定する２つの固定部の間の距離を変更することで、光書込み装置本体を固定する２つの固定部の間の距離を変更しない場合に比べて、光書込み装置本体の振動を抑制することができる光書込み装置及び画像形成装置を提供することを目的とする。
【課題を解決するための手段】
【０００６】
請求項１に係る本発明は、光書込み装置本体と、前記光書込み装置本体を固定する２つの固定部と、を有し、前記光書込み装置本体は、光を発する発光部が長手方向に多数設けられた基板と、前記基板からの光を収束させる収束部材と、前記基板及び前記収束部材が装着されている装着部と、を有し、前記２つの固定部の少なくとも１つは、前記光書込み装置本体を固定する固定部材であて、前記装着部の長手方向に沿って前記装着部に形成された長孔に装着されていて、前記長孔に沿って移動可能な前記固定部材を有する光書込み装置である。
【０００７】
請求項２に係る本発明は、前記固定部材が前記光書込み装置本体を押圧する押圧力を変更する押圧力変更手段をさらに有する請求項１記載の画像形成装置である。
【０００８】
請求項３に係る本発明は、前記固定部材は、前記装着部の長手方向と交わる方向の面に接触するカム部を有し、前記カム部操作することにより前記固定部材が移動する請求項１又は２記載の画像形成装置である。
【０００９】
請求項４に係る本発明は、前記光書込み装置本体の減衰を促進させる減衰促進部材をさらに有する請求項１乃至３いずれか記載の画像形成装置である。
【００１０】
請求項５に係る本発明は、像を保持する像保持体と、前記像保持体に光により潜像を書き込むための光書込み装置本体と、前記光書込み装置本体を固定する２つの固定部と、を有し、前記光書込み装置本体は、光を発する発光部が長手方向に多数設けられた基板と、前記基板からの光を収束させる収束部材と、前記基板及び前記収束部材が装着されている装着部と、を有し、前記２つの固定部の少なくとも１つは、前記光書込み装置本体を固定する固定部材であて、前記装着部の長手方向に沿って前記装着部に形成された長孔に装着されていて、前記長孔に沿って移動可能な前記固定部材を有する画像形成装置である。
【発明の効果】
【００１１】
請求項１に係る本発明によれば、光書込み装置本体を固定する２つの固定部の間の距離を変更しない場合に比べて、光書込み装置本体の振動を抑制することができる。
【００１２】
請求項２に係る本発明によれば、押圧力を変更することで、２つの固定部の間の距離を変更することによる光書込み装置本体の固有振動数の変更を補うように光書込み装置本体の固有振動数の微調整を行うことができる。
【００１３】
請求項３に係る本発明によれば、カム部材を有しないものと比較して、固定部材を移動させる操作を簡単にすることができる。
【００１４】
請求項４に係る本発明によれば、減衰促進部材を有しないものと比較して、光書込み装置本体の振動を抑制することができる。
【００１５】
請求項５に係る本発明によれば、光書込み装置本体を固定する２つの固定部の間の距離を変更しない場合に比べて、光書込み装置本体の振動を抑制することができる。
【図面の簡単な説明】
【００１６】
【図１】本発明の第１の実施形態に係る画像形成装置の構成を示す図である。
【図２】図１に示す画像形成装置が有するプリンタヘッドを示す図である。
【図３】Ｘ軸方向とＹ軸方向とにおいて、図２に示すプリンタヘッドを感光体ドラムに対して位置決めする機構を示す図である。
【図４】図２に示すプリンタヘッドを、図３における矢印Ａ−Ａ方向から示すとともに、図１に示す画像形成装置が有する距離変更機構の構成を示す図である。
【図５】本発明の第２の実施形態に係る画像形成装置が有する距離変更機構の構成を示し、図５（ａ）は距離変更機構の右側を示した図であり、図５（ｂ）は距離変更機構の上側を示した図である。
【発明を実施するための形態】
【００１７】
次に、本発明を実施するための形態を図面を参照して説明する。図１には、本発明の第１実施形態に係る画像形成装置１０が示されている。図１に矢印で方向が示されているように、以下の説明において、画像形成装置１０の左側面側から右側面側へと向かう方向をＸ軸方向とし、重力方向における下側から上側に向かう方向をＹ軸方向とし、画像形成装置の後側から前側に向かう方向をＺ軸方向する。
【００１８】
図１に示すように、画像形成装置１０は画像形成装置本体１２を有し、画像形成装置本体１２には、記録媒体として用いられている用紙を排出する排出口１４が形成されている。また、画像形成装置本体１２内には、用紙を搬送するための搬送路６００が形成されている。また、画像形成装置本体１２内には、搬送路６００に沿って用紙搬送方向における上流側から順に、給紙装置６５０と、給紙装置６５０から供給された用紙に転写され、定着されるトナー像を形成するための像形成部１００と、像形成部１００によって形成されたトナー像を用紙に転写する転写装置１８０と、転写装置１８０によって用紙に転写されたトナー像を用紙に定着する定着装置６７０とが配置されている。
【００１９】
給紙装置６５０は、収納部６５２と、収納部６５２に収納された最上位に位置する用紙を搬送路６００へと送り出す送出装置６５４とを有する。
【００２０】
像形成部１００は、例えば画像形成装置本体１２に対して着脱することができ、像保持体として用いられている感光体ドラム１１２を有する像形成ユニット１１０と、光書込み装置２００とを有し、光書込み装置２００は、感光体ドラム１１２に光により潜像を書き込むための光書込み装置本体として用いられているプリンタヘッド２０２と、プリンタヘッド２０２を保持する保持部として用いられている枠体２３０とを有する。
【００２１】
像形成ユニット１１０は、ユニット本体１１４を有し、ユニット本体１１４に対して先述の感光体ドラム１１２と、感光体ドラム１１２の表面を帯電させる帯電装置１１６と、帯電装置１１６によって帯電された感光体ドラム１１２の表面にプリンタヘッド２０２により形成された潜像を現像する現像装置１１８と、転写装置１８０によって用紙へとトナー像が転写された後に感光体ドラム１１２の表面に残留しているトナー等を清掃する清掃装置１２２とを有する。
【００２２】
転写装置１８０は、転写部材として用いられている転写ロール１８２を有し、転写ロール１８２に転写バイアスが印加されていて、感光体ドラム１１２から用紙へとトナー像を静電的に移動させる。
【００２３】
定着装置６７０は、熱と圧力とを用いてトナー像を用紙に対して定着させる装置であり、例えばハロゲンランプ等を用いることができる熱源６７４を有する加熱ロール６７２と、加熱ロール６７２に対して用紙を押し付ける加圧ロール６７６とを有する。
【００２４】
以上のように構成された本発明の第１の実施形態に係る画像形成装置１０においては、給紙装置６５０から供給された用紙に対して、感光体ドラム１１２の表面に形成されたトナー像が転写装置１８０によって転写され、転写装置１８０によって用紙に転写されたトナー像が定着装置６７０によって用紙に定着され、定着装置６７０によってトナー像が定着された用紙が排出口１４を通過するようにして画像形成装置本体１２外へと排出される。
【００２５】
図２には、プリンタヘッド２０２が示されている。図２に示されているように、プリンタヘッド２０２は、光を発する複数の発光部２０８が長手方向（Ｚ軸方向）に多数設けられた基板として用いられているＬＥＤ回路基板２０６と、ＬＥＤ回路基板２０６からの光を収束させる収束部材として用いられているロッドレンズアレイ２１０と、ＬＥＤ回路基板２０６及びロッドレンズアレイ２１０が装着されている装着部として用いられているハウジング２０４とを有する。
【００２６】
プリンタヘッド２０２においては、ＬＥＤ回路基板２０６に組み込まれた信号生成回路によって発光部２０８が駆動され、述の信号駆動回路により駆動されることで発光部２０８が光を発し、発光部２０８から発せられた光がロッドレンズアレイ２１０によって感光体ドラム１１２の表面に結像される。
【００２７】
また、プリンタヘッド２０２においては、感光体ドラム１１２の表面に正確に結像をさせるために、感光体ドラム１１２に対してプリンタヘッド２０２を正確に位置決めすることを要する。また、プリンタヘッド２０２が、画像形成装置１０が有するモータ（不図示）やギア（不図示）等の振動における周波数と共振をする等の理由で振動をすると、形成される画像に乱れ生じる虞がある。また、感光体ドラム１１２に対する位置決め等のためにプリンタヘッド２０２に圧力を加えることでプリンタヘッド２０２に撓み等の変形が生じると、変形を理由として感光体ドラム１１２の表面に正確に結像がなされなくなり、これにより画像に乱れが生じる虞がある。
【００２８】
図３には、Ｘ軸方向とＹ軸方向とにおいて、プリンタヘッド２０２を感光体ドラム１１２に対して位置決めする機構が示されている。Ｙ軸方向におけるプリンタヘッド２０２の感光体ドラム１１２に対する位置決めは、ハウジング２０４を像形成ユニット１１０のユニット本体１１４に対して押し付けることによりなされる。より具体的には、ハウジング２０４の長手方向（Ｚ軸方向）における後端部側（図３における紙面奥側）に押圧部材２２０Ｒの一端部が接触していて、弾性体から構成されている例えばコイルスプリング等の付勢部材２２２Ｒが押圧部材２２０Ｒの他端部に連結されていて、付勢部材２２２Ｒによって付勢された押圧部材２２０Ｒによって、ハウジング２０４の後端部側がユニット本体１１４の後端部側に対して押し付けられている。
【００２９】
また、Ｚ軸方向における前端部側に、押圧部材２２０Ｒと同様の押圧部材２２０Ｆ（不図示）と、付勢部材２２２Ｒと同様の付勢部材２２２Ｆ（不図示）とが設けられていて、押圧部材２２０Ｆと付勢部材２２２Ｆとによって、ハウジング２０４の前端部側がユニット本体１１４の前端部側に対して押し付けられている。以上のように、プリンタヘッド２０２の後端部側と前端部側との２箇所がユニット本体１１４に対して押し付けられるようにして、プリンタヘッド２０２はＹ軸方向において感光体ドラム１１２に対して位置決めされている。
【００３０】
Ｘ軸方向におけるプリンタヘッド２０２の感光体ドラム１１２に対する位置決めは、先述の枠体２３０が、その端部２３４と端部２３６とでＸ軸方向における両側からハウジング２０４を挟み込みこむことによりなされている。
【００３１】
図４には、プリンタヘッド２０２が、図３における矢印Ａ−Ａ方向から示されているとともに、Ｚ軸方向においてプリンタヘッド２０２を感光体ドラム１１２に対して位置決めする構成と、距離変更機構３００とが示されている。図４に示すように、プリンタヘッド２０２の後端側部側は、固定位置Ｐ１において、ビス部材４１２と、ナット部材４１４と、例えばコイルスプルング等を用いることができる弾性部材４１６とを用いて、減衰促進部材４１８を介し、画像形成装置本体１２の一部をなすフレーム部１６に対して押し付けるように固定されている。
【００３２】
ビス部材４１２は、プリンタヘッド２０２を固定する２つの固定部の中の１つにあたるとともに、その１つの固定部が有する固定部材として用いられている。また、減衰促進部材４１８は、例えばゴム等の弾性を有する部材を用いることができ、減衰促進部材４１８を用いることでプリンタヘッド２０２の振動を制することができ、プリンタヘッド２０２の振動における減衰を促進することができる。
【００３３】
プリンタヘッド２０２の前端部側は、ハウジング２０４に形成された貫通孔２０４ａに対して、画像形成装置本体１２の一部をなすフレーム部１８に上向きに突出するように形成された突起１８ａに挿入されるようにしてＺ軸方向において位置決めされている。
【００３４】
距離変更機構３００は、プリンタヘッド２０２を固定する２つの固定位置の間の距離を変更する距離変更手段として用いられていて、プリンタヘッド２０２の後端部側が固定される位置である先述の固定位置Ｐ１と、プリンタヘッド２０２の前端部側が固定される位置である固定位置Ｐ２との間の距離である距離Ｌを変更する。また、距離変更機構３００は、ビス部材３１２と、ナット部材３１４と、例えばコイルスプルング等を用いることができる弾性部材３１６とを有する。
【００３５】
ビス部材３１２は、プリンタヘッド２０２を固定する２つの固定部の中の１つにあたるとともに、その１つの固定部が有する固定部材として用いられている。また、ビス部材３１２は、ハウジング２０４の長手方向（Ｚ軸方向、図４における左右方向）に沿って形成された長孔２０４ｂに装着されていて、長孔２０４ｂに沿って移動させることができるようになっている。すなわち、操作者がナット部材３１４を操作して、ナット部材３１４を図４における上側に移動させて、弾性部材３１６によるプリンタヘッド２０２への押圧を解除することより、ナット部材３１４及び弾性部材３１６と一体として、ビス部材３１２を図４に矢印ａに示すようにプリンタヘッド２０２の長手方向に移動させることができるようになっている。
【００３６】
尚、ナット部材３１４、ビス部材３１２及び弾性部材３１６の矢印ａ方向への移動を可能とするために、ハウジング２０４にＺ軸方向の長孔２０４ｂが形成されていることと同様に、フレーム部１８にもＺ軸方向の長孔１８ｂが形成されていて、後述する減衰促進部材３１８にもＺ軸方向の長孔３１８ｂが形成されている。
【００３７】
減衰促進部材３１８は、先述の減衰促進部材４１８と同様に例えばゴム等の弾性を有する部材を用いることができ、減衰促進部材３１８を用いることでプリンタヘッド２０２の振動が抑制することができ、プリンタヘッド２０２の振動における減衰を促進することができる。
【００３８】
以上のように構成された距離変更機構３００においては、ビス部材３１２、ナット部材３１４及び弾性部材３１６を矢印ａ方向に移動させ、プリンタヘッド２０２の前端部側が固定される位置を変更することで、プリンタヘッド２０２を固定する２つの固定位置である固定位置Ｐ１と固定位置Ｐ２との距離Ｌを変更することができる。そして、距離Ｌを変更することで固有振動数を変更することができる。距離Ｌを変更することでプリンタヘッド２０２の固有振動数を変更できるのは、プリンタヘッド２０２を両端が支持された長さＬの梁とみなすことができ、両端が支持された長さＬ梁の固有振動数は、１／Ｌ２に比例するためである。
【００３９】
また、以上のように構成された距離変更機構３００において、ナット部材３１４は、ビス部材３１２がプリンタヘッド２０２を押圧する押圧力を変更する押圧力変更手段として用いられている。すわなち、操作者がナット部材３１４を操作し、ナット部材３１４をビス部材３１２の長手方向に移動させることで、ビス部材３１２がプリンタヘッド２０２を押圧する押圧力を変更することができる。
【００４０】
以上で説明をした画像形成装置１０においては、２つの固定部材として用いられているビス部材４１２及びビス部材３１２のうちの１つであるビス部材３１２のみが、ハウジング２０４の長手方向に移動することができるようになっているものの、ビス部材４１２及びビス部材３１２の少なくとも１つがハウジング２０４の長手方向に移動することができればよい。すなわち、ビス部材４１２だけがハウジング２０４の長手方向に移動することができるようにしてもよいし、ビス部材４１２及びビス部材３１２の両方をハウジング２０４の長手方向に移動することができるようにしてもよい。
【００４１】
以上のように構成された画像形成装置１０によれば、プリンタヘッド２０２が、画像形成装置１０が有するモータ（不図示）やギア（不図示）等の振動における周波数と共振をする等の理由で振動をする場合に、距離変更機構３００を用いて距離Ｌを変更し、プリンタヘッド２０２の固有振動数を変更することで、プリンタヘッド２０２の振動を抑制することができる。
【００４２】
図５には、本発明の第２の実施形態に係る画像形成装置が有する距離変更機構３００が示されている。この第２の実施形態においては、距離変更機構３００は、先述の第１の実施形態における距離変更機構３００が有する構成に加えて、カム部材３３０を有している。カム部材３３０は、ハウジング２０４が有するハウジング２０４の長手方向（Ｚ軸方向）と交わる方向の面である面２０４ｃに接触するカム部として用いられている。
【００４３】
また、カム部材３３０は、ビス部材３１２に対して固定されている。このため、カム部材３３０の一端部が面２０４ｃに接した状態を保ちつつ、図５（ｂ）に矢印ｂで示すように、カム部材３３０とビス部材３１２とを一体として回転させることで、図５（ｂ）に矢印ａで示すように、ビス部材３１２、ナット部材３１４及び弾性部材３１６を長孔２０４ｂに沿って移動させることができる。
【産業上の利用可能性】
【００４４】
以上で説明をしたように、本発明は、複写機、ファクシミリ装置、プリンタ等の画像形成装置に適用することができる。
【符号の説明】
【００４５】
１０・・・画像形成装置
１１２・・・感光体ドラム
２００・・・光書込み装置
２０２・・・プリンタヘッド
２０４・・・ハウジング
２０４ｂ・・・長孔
２０４ｃ・・・面
３１２、４１２・・・ビス部材
３１８、４１８・・・減衰促進部材
３３０・・・カム部材
Ｐ１、Ｐ２・・・固定位置
【図１】
2016175295.tif 000003
【図２】
2016175295.tif 000004
【図３】
2016175295.tif 000005
【図４】
2016175295.tif 000006
【図５】
2016175295.tif 000007